(57)【特許請求の範囲】
【請求項１】
被測定者の両手のそれぞれの一の指の指先と、前記両手のそれぞれの前記一の指以外の他の指の指先とによりインピーダンスを計測するカード型の体内脂肪計であって、
第１の電流路形成電極と該第１の電流路形成電極の近傍に設けられた第１の計測用電極とを有する第１の電極対と、
前記第１の電流路形成電極との間で電流路を形成する第２の電流路形成電極と、前記第１の計測用電極との間でインピーダンスを計測するための、前記第２の電流路形成電極の近傍に設けられた第２の計測用電極とを有する第２の電極対と、
前記第１の計測用電極と前記第２の計測用電極との間のインピーダンスを計測するインピーダンス計測手段と、
体脂肪率の計算に必要な被測定者に関するデータを入力するためのデータ入力手段と、
前記インピーダンス計測手段で得られたインピーダンスと、前記データ入力手段に入力された被測定者に関するデータとに基づいて体脂肪率を計算する計算手段と
を備え、
前記第１の電流路形成電極と前記第２の電流路形成電極とが前記カード型体内脂肪計の一方の面に設けられ、前記第１の計測用電極と前記第２の計測用電極とが前記カード型体内脂肪計の他方の面に設けられていることを特徴とする体内脂肪計。
【請求項２】
前記第１の計測用電極は前記第１の電流路形成電極の真裏の位置に配され、前記第２の計測用電極は前記第２の電流路形成電極の真裏の位置に配されている請求項１記載の体内脂肪計。
【請求項３】
被測定者の両手のそれぞれの一の指の指先と、前記両手のそれぞれの前記一の指以外の他の指の指先とによりインピーダンスを計測するカード型の体内脂肪計であって、
第１の電流路形成電極と該第１の電流路形成電極の近傍に設けられた第１の計測用電極とを有する第１の電極対と、
前記第１の電流路形成電極との間で電流路を形成する第２の電流路形成電極と、前記第１の計測用電極との間でインピーダンスを計測するための、前記第２の電流路形成電極の近傍に設けられた第２の計測用電極とを有する第２の電極対と、
前記第１の計測用電極と前記第２の計測用電極との間のインピーダンスを計測するインピーダンス計測手段と、
体脂肪率の計算に必要な被測定者に関するデータを入力するためのデータ入力手段と、
前記インピーダンス計測手段で得られたインピーダンスと、前記データ入力手段に入力された被測定者に関するデータとに基づいて体脂肪率を計算する計算手段と
を備え、
前記第１の電流路形成電極と前記第２の電流路形成電極とが前記カード型体内脂肪計の一の端面に設けられ、前記第１の計測用電極と前記第２の計測用電極とが前記カード型体内脂肪計の他の端面に設けられていることを特徴とする体内脂肪計。
【請求項４】
前記カード型体内脂肪計を手で持った場合に、両手の各親指の指先が前記第１の計測用電極及び前記第２の計測用電極の位置となり、両手の親指以外の他の指の指先が前記第１の電流路形成電極及び前記第２の電流路形成電極の位置となるように、前記第１の計測用電極、前記第１の電流路形成電極、前記第２の計測用電極及び前記第２の電流路形成電極が配されている請求項３記載の体内脂肪計。
【発明の詳細な説明】
【０００１】
【発明の属する技術分野】
この発明は、体内脂肪計に関し、更に詳しくは、被測定者が手で持って指先を電極に接触させることにより、簡単に体脂肪率を計測し得る体内脂肪計に関するものである。
【０００２】
【従来の技術】
従来より、健康維持の観点より体内の脂肪率が注目されている。体脂肪率が増加すると成人病などを引き起こす原因となるため、これを計測することにより成人病の予防を図ることができる。この体脂肪率の計測装置として、体重計の基台の足を載せる位置に、電流路を形成する２つの電極と、この電流路の２点間のインピーダンスを計測するための電圧計測用の電極とが設けられているものが知られている。このような体脂肪率計測装置を用いると、体脂肪率を求める際に必要となる体重のデータを同時に計量することができるため、便利である。
【０００３】
また、両手でハンドルを握ることにより、体脂肪率を計測する装置も開発されている。この体内脂肪計は、上述の体重計に取り付けたものとは異なり、比較的手軽に体脂肪率を計測することができるという利点を有している。
【０００４】
更に、カードの表面に電流路形成用の電極と電圧計測用の電極とを非常に近接して配した電極対を２組設けた体内脂肪計が、実公平５−２１６４号に開示されている。この体内脂肪計では、一方の電極対の電流路形成用電極と電圧計測用電極の両方に一方の手の一つの指を接触させるとともに、他方の電極対の電流路形成用電極と電圧計測用電極の両方にもう一方の手の一つの指を接触させるものである。このカード式の体内脂肪計は、簡便に体脂肪率を計測することを利点としている。
【０００５】
【発明が解決しようとする課題】
上述のように体重計に取り付けた従来の体内脂肪計は、風呂場などに於くのには適しているが、少なくとも靴下を脱ぐなどして計測する必要があるため、手軽に体脂肪率を計測することはできない。また、被測定者が基台に載る際の足の位置が常に一定とはならず、測定の度に電流路上のインピーダンス計測点間の距離が変わり、異なる測定結果となるという問題点がある。
【０００６】
これに対し、ハンドルを握るタイプの体内脂肪計では靴下を脱ぐなどの煩わしさはないため、比較的手軽に体脂肪率の計測を行うことができる。しかし、ハンドルタイプの体内脂肪計に於いても、その握り方によって測定の度に電流路上のインピーダンス計測点間の距離が変わり、異なる測定結果となるという問題点がある。また、このタイプの体内脂肪計は持ち歩けるものではないため、手軽に体脂肪率を計測することができず、従って、それを購入した家族しか使用できないという問題がある。
【０００７】
更に、上記カード式の体内脂肪計は、一つの電極対を構成する２つの電流路形成用電極及び電圧計測用電極に一つの指を接触させなければならず、従って、電極面積を小さくする必要があり、必然的に測定結果が不正確となるという問題点がある。加えて、一つの電極対を構成する２つの電流路形成用電極及び電圧計測用電極が非常に近い位置に配されなければならないため、これらの間に生じる漏洩電流が大きくなり、測定結果が更に不正確となるという問題点がある。
【０００８】
本発明はこのような従来の体内脂肪計の問題点を解決するものであり、本発明の目的は、測定の度に電流路上のインピーダンス計測点間の距離が変わらず、手軽で、しかも比較的正確に体脂肪率の計測ができる小型の体内脂肪計を提供することである。
【０００９】
【課題を解決するための手段】
本発明の体内脂肪計は、両手の指を使用して体脂肪率を計測するものである。即ち、両手のそれぞれに於ける一の指の間に人体を介する電流路を形成しておき、この電流路上の前記一方の指以外の指の２点間のインピーダンスを計測するものである。このように体内脂肪計を手の指によって計測し得る構成とすることにより、手軽で持ち運びが容易な体内脂肪計とすることができる。また、形成される電流路の長さは一定となるので、各計測ごとに得られるインピーダンスの値のバラツキが小さくなる。しかも、両手の指を電極に接触させるという簡単な動作で体脂肪率を正確に計測することができるという利点を有している。
【００１０】
【発明の実施の形態】
以下、本発明の実施の形態について説明する。本発明の体内脂肪計は、電流路形成電極と計測用電極からなる電極対を２対有している。即ち、第１の電極対は、第１の電流路形成電極と第１の計測用電極とを有し、第２の電極対は、第２の電流路形成電極と第２の計測用電極とを有している。第１の電極対の第１の電流路形成電極と第２の電極対の第２の電流路形成電極との間には電流が流され、これにより人体内に電流路が形成される。第１の電極対の第１の計測用電極と第２の電極対の第２の計測用電極は、人体内に形成された電流路の途中の２点間のインピーダンスを計測するために設けられている。このように４つの電極が設けられるのは、２つの電流路形成電極の間に電流路を形成し、その途中の２点間でインピーダンスを計測することにより、電極と人体の皮膚との接触部分に於けるインピーダンスの影響を排除するためである。
【００１１】
そして、本発明の体内脂肪計では、被測定者の両手のそれぞれの一の指が第１及び第２の計測用電極にそれぞれ電気的に接触し、被測定者の両手のそれぞれの前記一の指以外の他の指が前記第１及び第２の電流路形成電極にそれぞれ電気的に接触し得る位置に、第１及び第２の電流路形成電極及び第１及び第２の計測用電極がそれぞれ設けられる。このような位置にこれらの電極を設けることにより、被測定者の両手のそれぞれの前記一の指以外の他の指から両腕及び胴体を介して電流路が形成され、その電流路の途中の２点、即ち両手の前記一の指から両腕及び胴体を介する電流路に於ける人体のインピーダンスが計測される。このインピーダンスの計測は、インピーダンス計測手段に於いて行われる。本発明の体内脂肪計では、電流路形成電極及び計測用電極への接触は指先によって行われるので、指先の接触する位置は計測の度にほぼ一定となり、従って、形成される電流路の長さは一定となり、結果的に各計測ごとに得られるインピーダンスの値のバラツキが小さくなる。
【００１２】
また、体脂肪率の計算に必要な被測定者に関するデータ、例えば、体重、身長、年齢、性別等は、データ入力手段から入力される。更に、インピーダンス計測手段によって得られるインピーダンスと、データ入力手段から入力された被測定者に関するデータとに基づいて、計算手段に於いて体脂肪率が計算される。
【００１３】
本発明の体内脂肪計の一実施態様では、前記一の指が親指であり、前記他の指が親指以外の指である。この実施態様では、被測定者の両手のそれぞれの親指が第１及び第２の計測用電極にそれぞれ電気的に接触し、被測定者の両手のそれぞれの親指以外の指が前記第１及び第２の電流路形成電極にそれぞれ電気的に接触し得る位置に、第１及び第２の電流路形成電極及び第１及び第２の計測用電極がそれぞれ設けられる。このような位置にこれらの電極を設けることにより、被測定者の両手のそれぞれの親指以外の指から両腕及び胴体を介して電流路が形成され、その電流路の途中の２点、即ち両手の親指から両腕及び胴体を介する電流路に於けるインピーダンスが計測される。
【００１４】
本発明の一実施態様では、体内脂肪計がカード型であり、第１の電流路形成電極と第２の電流路形成電極とが前記カード型体内脂肪計の一方の面に設けられ、第１の計測用電極と第２の計測用電極とがカード型体内脂肪計の他方の面に設けられる。そして、第１の計測用電極は第１の電流路形成電極の真裏の位置に配され、同様に、第２の計測用電極は第２の電流路形成電極の真裏の位置に配されている。この構成により、両手でこのカード型体内脂肪計を手に持つという動作だけで、簡単に体脂肪率を計測することができる。しかも、各計測用電極は対応するそれぞれの電流路形成電極の真裏の位置に配されているので、指と各電極との電気的接触が確実に行われる。
【００１５】
また、本発明の他の実施態様では、体内脂肪計がカード型であって、第１の電流路形成電極と第２の電流路形成電極とがカード型体内脂肪計の一の端面に設けられ、第１の計測用電極と第２の計測用電極とがカード型体内脂肪計の他の端面に設けられる。そして、カード型体内脂肪計を手で持った場合に、両手の各親指が第１の計測用電極及び第２の計測用電極の位置となり、両手の親指以外の他の指が第１の電流路形成電極及び第２の電流路形成電極の位置となるように、第１の計測用電極、第１の電流路形成電極、第２の計測用電極及び第２の電流路形成電極が配されている。この構成に於いても、両手でこのカード型体内脂肪計を手に持つという動作だけで、簡単に体脂肪率を計測することができ、しかも、指と各電極との電気的接触を確実に行うことができる。
【００１６】
更に、本発明の他の実施態様では、体内脂肪計がカード型であって、第１の電流路形成電極と第１の計測用電極とがカード型体内脂肪計の一の端面に設けられ、第２の計測用電極と第２の電流路形成電極とがカード型体内脂肪計の他の端面に設けられる。この実施態様では、両手の指でこのカード型体内脂肪計を挟むように両面から支持することにより、簡単に体脂肪率を計測することができる。
【００１７】
また、本発明の更なる他の実施態様では、体内脂肪計がカード型であり、前記第１及び第２の電流路形成電極と、前記第１及び第２の計測用電極とが前記カード型体内脂肪計の一方の面に設けられている。この実施態様では、カード型体内脂肪計をテーブル等の上にこれらの電極が上面になるように置き、一方の手の２本の指を第１の電流路形成電極と第１の計測用電極とに接触させるとともに、他方の手の２本の指を第２の電流路形成電極と第２の計測用電極とに接触させることにより、簡単に体脂肪率を計測することができる。
【００１８】
【実施例】
図１は本発明の体内脂肪計の一実施例を示す斜視図である。本実施例の体内脂肪計はカード型であり、カード型電卓に体脂肪率の計測機能を付加したものである。同図に示すように、本実施例の体内脂肪計１０は、カード本体１１の上部右側の表面１１ａ及び裏面１１ｂに第１の電極対１が設けられ、カード本体１１の上部左側の表面１１ａ及び裏面１１ｂに第２の電極対２が設けられている。第１の電極対１は、カード本体１１の表面１１ａに設けられた第１の計測用電極１ａと、カード本体１１の裏面１１ｂに設けられた第１の電流路形成電極１ｂとによって構成され、第１の計測用電極１ａの真裏に第１の電流路形成電極１ｂが配されている。同様に、第２の電極対２は、カード本体１１の表面１１ａに設けられた第２の計測用電極２ａと、カード本体１１の裏面１１ｂに設けられた第２の電流路形成電極２ｂとによって構成され、第２の計測用電極２ａの真裏に第２の電流路形成電極２ｂが配されている。第１の計測用電極１ａと第２の計測用電極２ａとの間のインピーダンスは、カード本体１１内に設けられた図示しないインピーダンス計測手段に於いて計測される。インピーダンス計測手段は、公知のインピーダンス計測用の機器によって実現することができる。
【００１９】
また、本実施例の体内脂肪計１０は多数のキー３を有しており、これらのキー３は、電卓の機能を実現するとともに、被測定者の体重、身長、年齢、性別等のデータを入力するデータ入力手段としての機能も果たしている。また、カード本体１１内には、インピーダンス計測手段で得られたインピーダンスと、キー３を用いて入力された被測定者に関するデータとに基づいて体脂肪率を計算する計算手段が設けられている。この計算手段は、電卓としての機能を実現するためのＣＰＵとメモリとによって実現することができる。また、本実施例では、入力される数値の確認や最終的に求められた体脂肪率を表示するための表示部４を備えている。この表示部４は、電卓として用いられる場合の演算値及び計算結果を示すためにも用いられる。
【００２０】
本実施例の体内脂肪計１０を用いた体脂肪率の計測は、図１の２点鎖線で示すように、被測定者が体内脂肪計１０を両手の親指と例えば人指し指とによって持つことにより行うことができる。即ち、左手の親指が第１の計測用電極１ａを押圧するように、また、左手の人指し指が第１の電流路形成電極１ｂを押圧するように、体内脂肪計１０が保持される。同様に、右手の親指が第２の計測用電極２ａを押圧するように、また、右手の人指し指が第２の電流路形成電極２ｂを押圧するように、体内脂肪計１０が保持される。
【００２１】
次に、被測定者によってその体重、身長、年齢、性別等がキー３を用いて入力される。これらのデータの入力が完了すると、インピーダンス計測手段で得られたインピーダンスと、キー３を用いて入力された被測定者に関するデータとに基づいて、計算手段が体脂肪率の計算を行う。この場合の計算式として公知の各種のものを使用することができる。この計算式は予めカード本体１１の例えばＲＯＭ等の記憶手段に格納しておくことができる。体脂肪率が最終的に求められると、その結果は表示部４に表示される。
【００２２】
このように、本実施例の体内脂肪計１０では、第１の計測用電極１ａの真裏に第１の電流路形成電極１ｂが配され、第２の計測用電極２ａの真裏に第２の電流路形成電極２ｂが配されているので、両手で体内脂肪計１０を保持する動作を行うだけで、両手の人指し指の間に両腕及び胴体を介する電流路を形成し、この電流路の途中に位置する両手の親指に於いて、その測定者のインピーダンスを計測することができる。しかも、指と各電極との電気的接触が確実に行われるので、指先の電極との接触位置は計測の度ごとに一定となり、測定値のバラツキを小さくすることができる。また、両手で体内脂肪計１０を持って指先を電極に接触させるという自然な動作で体脂肪率を計測することができるので、手軽に体脂肪率を求めることができる。しかも、携帯して何時でも体脂肪率を知ることができるので、従来の体内脂肪計のように風呂場などの特定の場所に限定されることなく、体脂肪率を計測することができる。従って、体内脂肪に対する意識を被測定者に常に持たせることができ、ひいては常に健康維持に気を配る姿勢を被測定者に身につけさせることができるという二次的効果をも得ることができる。
【００２３】
図２は本発明の体内脂肪計の他の実施例を示す斜視図である。本実施例の体内脂肪計２０は、カード本体１１の上側の端面左側及び下側の端面左側に第１の電極対１が設けられ、カード本体１１の上側の端面右側及び下側の端面右側に第２の電極対２が設けられている点を除いて、前述の図１の体内脂肪計１０と同様であり、対応する部分には同じ符号が付されている。本実施例の体内脂肪計２０では、図２に示すように、第１の電極対１は、カード本体１１の上側の端面左側に設けられた第１の電流路形成電極１ｂと、カード本体１１の下側の端面左側に設けられた第１の計測用電極１ａとによって構成されている。同様に、第２の電極対２は、カード本体１１の上側の端面右側に設けられた第２の電流路形成電極２ｂと、カード本体１１の下側の端面右側に設けられた第２の計測用電極２ａとによって構成されている。このような電極の配置により、カード型体内脂肪計２０を手で持った場合に、両手の各親指が第１の計測用電極１ａ及び第２の計測用電極２ａの位置となり、両手の各人差し指が第１の電流路形成電極１ｂ及び第２の電流路形成電極２ｂの位置となる。
【００２４】
本実施例の体内脂肪計２０を用いた体脂肪率の計測も、前述の図１の場合と同様にして行うことができる。即ち、図２の２点鎖線で示すように、被測定者の左手の親指が第１の計測用電極１ａを押圧するように、また、左手の人指し指が第１の電流路形成電極１ｂを押圧するように、体内脂肪計２０が保持される。同様に右手の親指が第２の計測用電極２ａを押圧するように、また、右手の人指し指が第２の電流路形成電極２ｂを押圧するように、体内脂肪計２０が保持される。このように両手で体内脂肪計２０を保持することにより、両手の人指し指の間に電流路が形成され、この電流路の途中に位置する両手の親指に於いて、その測定者の体のインピーダンスが計測される。
【００２５】
次に、被測定者によって体重、身長、年齢、性別等のデータがキー３を用いて入力され、インピーダンス計測手段で得られたインピーダンスと、キー３を用いて入力された被測定者に関するデータとに基づいて、計算手段が体脂肪率の計算を行う。体脂肪率が最終的に求められると、その結果が表示部４に表示される。
【００２６】
本実施例の体内脂肪計２０を用いた場合も、両手で持つだけで指先が電極に接触し、これにより体脂肪率の計測が行われるので、簡単に体脂肪率を非常に簡単に計測することができ、しかも、指先の電極との接触位置は計測の度ごとに一定となり、測定値のバラツキを小さくすることができる。また、手軽に体脂肪率を求めることができ、しかも携帯していつでも体脂肪率を知ることができる。従って、従来の体内脂肪計のように風呂場などの特定の場所以外の場所でも体脂肪率を計測することができる。
【００２７】
なお、上記各実施例ではインピーダンスの計測後に被測定者に関するデータの入力を行ったが、これとは逆に、被測定者に関するデータの入力を行った後にインピーダンスの計測を行ってもよい。
【００２８】
図３は本発明の体内脂肪計の他の実施例を示している。同図に示す体内脂肪計３０では、カード本体１１の表面１１ａに第１の計測用電極１ａと第１の電流路形成電極１ｂとが設けられ、カード本体１１の裏面１１ｂに第２の計測用電極２ａと第２の電流路形成電極２ｂとが設けられている。本実施例の体内脂肪計では、図３の２点鎖線で示すように、カード本体１１を表面１１ａ及び裏面１１ｂから両手の人差し指及び中指で支持するように持つことにより、体脂肪率の計測が行われる。
【００２９】
図４は、カード本体１１の一方の面にのみ電極を設けた場合の本発明の体内脂肪計の実施例を示している。即ち、カード本体１１の表面１１ａに、第１及び第２の計測用電極１ａ，２ａと第１及び第２の電流路形成電極１ｂ，２ｂの全てが設けられている。この実施例では、第１及び第２の計測用電極１ａ，２ａがカード本体１１の下方の部分に設けられ、第１及び第２の電流路形成電極１ｂ，２ｂがカード本体１１の上方の部分に設けられている。
【００３０】
本実施例の体内脂肪計４０は、テーブル等の上に電極１ａ，ａｂ，２ａ，２ｂが上になるように置くことにより使用される。即ち、テーブル上に置かれた体内脂肪計４０に、図４の２点鎖線で示すように、一方の手の人差し指と中指とを第１の電流路形成電極１ｂと第１の計測用電極１ａとに接触させるとともに、他方の手の人差し指と中指とを第２の電流路形成電極２ｂと第２の計測用電極２ａとに接触させることにより、体脂肪率の計測が行われる。
【００３１】
図５の実施例は、電流路形成電極１ｂ，２ｂ及び計測用電極１ａ，２ａへの指による接触を容易に行い得るように、計測用電極１ａ，２ａの位置を内側に移動させたものである。本実施例の体内脂肪計の使用方法も、図４の実施例の場合と同様である。
【００３２】
また、図１〜３の実施例では電卓に体内脂肪計としての機能を付与した場合について説明したが、本発明の体内脂肪計は、他の例えば時計、万歩計、ポケットベル、携帯用体重計等、各種の携帯品に取り付けることができ、更には図４及び５に示したように、体内脂肪計のみの機能を有するカードとして構成することもできる。
【００３３】
【発明の効果】
以上で説明したように、本発明の体内脂肪計では、電流路形成電極及び計測用電極への接触は指先によって行われるので、指先の接触する位置は計測の度にほぼ一定となり、従って、形成される電流路の長さは一定となり、結果的に各計測ごとに得られるインピーダンスの値のバラツキが小さくなる。また、本発明の体内脂肪計では、各計測用電極は各電流路形成電極の真裏の位置に配されているので、両手で持という自然な動作を行うだけで指先が電極に接触し、簡単に体脂肪率の計測を行うことができる。しかも、携帯していつでも体脂肪率の計測を行うことができる。また、従来では風呂場などの特定の場所に於いて使用されていた体内脂肪計とは異なり、どのような場所でも体脂肪率を計測することがでるきので、常に体内脂肪に気を配るという意識が生まれ、ひいては常に健康維持に気を配る姿勢を被測定者に持たせることができる。
【図面の簡単な説明】
【図１】本発明の一実施例に係る体内脂肪計の斜視図である。
【図２】本発明の他の実施例に係る体内脂肪計の斜視図である。
【図３】本発明の更なる実施例に係る体内脂肪計の斜視図である。
【図４】本発明の体内脂肪計の一方の面に全ての電極を設けた実施例の斜視図である。
【図５】図４の実施例の電極の位置を移動させた場合を示す斜視図である。
【符号の説明】
１，２  電極対
１ａ  第１の計測用電極
２ａ  第２の計測用電極
１ｂ  第１の第１の電流路形成電極
２ｂ  第２の第１の電流路形成電極
３  キー
４  表示部
１０，２０  体内脂肪計
３０，４０  体内脂肪計
１１  カード本体
【図１】
0003917741.tif 000002
【図２】
0003917741.tif 000003
【図３】
0003917741.tif 000004
【図４】
0003917741.tif 000005
【図５】
0003917741.tif 000006